(57)【要約】【課題】あぶらとり紙を収納するためのケースの製造コストを安価にし、また、軽量化を図ったあぶらとり紙収納用ケースを提供すること。【解決手段】二つ折りにしたケース本体１１の材料を、ポリプロピレン、ポリエチレン、布地、紙製のいずれかを用いる。ケース本体１１の一方には多数枚の積層したあぶらとり紙２を収納する収納部１４を形成し、他方にはパフ状のアシスト部材３を保持する保持部１３を形成する。収納部１４の上面にはあぶらとり紙２の大きさより少し小さくした開口部１６を形成し、この開口部１６を介してあぶらとり紙２を取り出す。あぶらとり紙２の取り出しは、直接手で取り出しても良く、また、アシスト部材３の接着部４を利用してあぶらとり紙２を取り出す。【選択図】図２
2007244599.tif 000002
【特許請求の範囲】
【請求項１】
顔の皮脂を吸収するあぶらとり紙（２）を収納するケース本体（１１）を形成し、
前記ケース本体（１１）の一面に前記あぶらとり紙（２）を取り出すための開口部（１６）を形成し、
前記開口部（１６）の大きさを前記あぶらとり紙（２）の大きさより少し小さく設定していることを特徴とするあぶらとり紙収納用ケース。
【請求項２】
前記ケース本体（１１）は二つ折りにて構成されており、一方には前記あぶらとり紙（２）を多数積層して収納する収納部（１４）が形成され、他方にはパフ状のアシスト部材（３）を挿入保持しておく保持部（１３）が形成されていることを特徴とする請求項１に記載のあぶらとり紙収納用ケース。
【請求項３】
前記アシスト部材（３）の一面には前記あぶらとり紙（２）を接着、離脱自在とした接着部（４）を設けていることを特徴とする請求項２に記載のあぶらとり紙収納用ケース。
【請求項４】
前記あぶらとり紙（２）の下面を顔の皮脂を吸収する吸収面（２ａ）とし、該あぶらとり紙（２）の上面には皮脂を透過させない樹脂面（２ｂ）としていることを特徴とする請求項３に記載のあぶらとり紙収納用ケース。
【請求項５】
前記ケース本体（１１）の開口部（１６）の形状を、円形状、四角形状、周縁を連続した波形の形状のいずれかとしていることを特徴とする請求項１〜請求項４のいずれかに記載のあぶらとり紙収納用ケース。
【請求項６】
前記ケース本体（１１）の材料を、ポリプロピレン、ポリエチレン、塩化ビニール、布地、紙製のいずれかを用いていることを特徴とする請求項１〜請求項５のいずれかに記載のあぶらとり紙収納用ケース。
【発明の詳細な説明】
【技術分野】
【０００１】
本発明は、顔の皮脂を吸い取るあぶらとり紙を収納するあぶらとり紙収納用ケースに関するものである。
【背景技術】
【０００２】
ケース内に多数枚のあぶらとり紙を予め収納しておき、その最上部のあぶらとり紙をパフに接着させて顔の皮脂を取るようにしたのが、例えば、下記に示す特許文献１に開示されている。
【０００３】
【特許文献１】特開平９−２９４６２６号公報（特許第３１５５４６４号）
【０００４】
しかしながら、この特許文献１に開示されているケースは、プラスティックあるいは金属製で構成されているために、以下に示すように多くの問題を有している。すなわち、あぶらとり紙を収納するためのケースをプラスティックあるいは金属製で形成するためには、金型が必要であり、この金型のコストが非常に高くなり、製造コストひいては製品のコストが高くなるという問題があった。
【０００５】
また、あぶらとり紙やパフ自体は軽量であるものの、ケースがプラスティックあるいは金属製のために、製品自体の重量が重くなるという問題がある。特に女性のハンドバックなどには化粧道具が多く入っているために、該製品を入れておくと、ハンドバックが更に重くなって持ち運びに支障を来すことになる。
【０００６】
そこで、ケースを軽量化するために、ケースを紙製としたのを本出願人が特許文献２として出願している。
【特許文献２】特願２００５−１３７９５８
【０００７】
この特許文献２では、ケースの材料を紙製としているので、ケースを軽量化でき、且つケース自体のコストも安価にすることができる。しかしながら、ケース内であぶらとり紙を収納ないし保持するための構造が複雑となっており、そのケースの組み立てに労力と時間とが多大なものとなり、そのため、製造コストが非常に高くなり、結果的には安価なケースを提供できないという問題があった。
【発明の開示】
【発明が解決しようとする課題】
【０００８】
本発明は上述の問題点に鑑みて提供したものであって、あぶらとり紙を収納するためのケースの製造コストを安価にし、また、軽量化を図ったあぶらとり紙収納用ケースを提供することを目的としている。
【課題を解決するための手段】
【０００９】
そこで、本発明の請求項１に記載のあぶらとり紙収納用ケースでは、顔の皮脂を吸収するあぶらとり紙２を収納するケース本体１１を形成し、前記ケース本体１１の一面に前記あぶらとり紙２を取り出すための開口部１６を形成し、前記開口部１６の大きさを前記あぶらとり紙２の大きさより少し小さく設定していることを特徴としている。
【００１０】
請求項２に記載のあぶらとり紙収納用ケースでは、前記ケース本体１１は二つ折りにて構成されており、一方には前記あぶらとり紙２を多数積層して収納する収納部１４が形成され、他方にはパフ状のアシスト部材３を挿入保持しておく保持部１３が形成されていることを特徴としている。
【００１１】
請求項３に記載のあぶらとり紙収納用ケースでは、前記アシスト部材３の一面には前記あぶらとり紙２を接着、離脱自在とした接着部４を設けていることを特徴としている。
【００１２】
請求項４に記載のあぶらとり紙収納用ケースでは、前記あぶらとり紙２の下面を顔の皮脂を吸収する吸収面２ａとし、該あぶらとり紙２の上面には皮脂を透過させない樹脂面２ｂとしていることを特徴としている。
【００１３】
請求項５に記載のあぶらとり紙収納用ケースでは、前記ケース本体１１の開口部１６の形状を、円形状、四角形状、周縁を連続した波形の形状のいずれかとしていることを特徴としている。
【００１４】
請求項６に記載のあぶらとり紙収納用ケースでは、前記ケース本体１１の材料を、ポリプロピレン、ポリエチレン、塩化ビニール、布地、紙製のいずれかを用いていることを特徴としている。
【発明の効果】
【００１５】
本発明の請求項１に記載のあぶらとり紙収納用ケースによれば、顔の皮脂を吸収するあぶらとり紙２を収納するケース本体１１を形成し、前記ケース本体１１の一面に前記あぶらとり紙２を取り出すための開口部１６を形成し、前記開口部１６の大きさを前記あぶらとり紙２の大きさより少し小さく設定しているので、あぶらとり紙２は開口部１６の周縁で保持されてケース本体１１からは容易に脱落せず、また、あぶらとり紙２をケース本体１１から取り出す場合にも開口部１６を介して容易に取り出すことができる。また、ケース本体１１の構造を単に開口部１６を形成しているだけなので、ケース本体１１の製造コストを安価にすることができる。
【００１６】
請求項２に記載のあぶらとり紙収納用ケースによれば、前記ケース本体１１は二つ折りにて構成されており、一方には前記あぶらとり紙２を多数積層して収納する収納部１４が形成され、他方にはパフ状のアシスト部材３を挿入保持しておく保持部１３が形成されているので、あぶらとり紙２で顔の皮脂を取る場合にパフ状のアシスト部材３と共に使用すると、指先であぶらとり紙２を押さえながら使用するのとは異なり、あぶらとり紙２全体を押さえて使用できるので、使い勝手が良い。
【００１７】
請求項３に記載のあぶらとり紙収納用ケースによれば、前記アシスト部材３の一面には前記あぶらとり紙２を接着、離脱自在とした接着部４を設けているので、アシスト部材３の接着部４にてあぶらとり紙２を接着させることができ、そのため、ケース本体１１からあぶらとり紙２を簡単に取り出すことができて、使い勝手が頗る良い。
【００１８】
請求項４に記載のあぶらとり紙収納用ケースによれば、前記あぶらとり紙２の下面を顔の皮脂を吸収する吸収面２ａとし、該あぶらとり紙２の上面には皮脂を透過させない樹脂面２ｂとしているので、あぶらとり紙２にて顔の皮脂を吸収しても指先やアシスト部材３が汚れることはなく、衛生的であり、また、アシスト部材３を長期にわたって使用することができる。
【００１９】
請求項５に記載のあぶらとり紙収納用ケースによれば、前記ケース本体１１の開口部１６の形状を、円形状、四角形状、周縁を連続した波形の形状のいずれかとしているので、開口部１６を簡単に形成でき、また、デザイン的にも意匠効果を発揮させることができる。
【００２０】
請求項６に記載のあぶらとり紙収納用ケースによれば、前記ケース本体１１の材料を、ポリプロピレン、ポリエチレン、塩化ビニール、布地、紙製のいずれかを用いているので、ケース本体１１の軽量化とコストの削減を図ることができる。
【発明を実施するための最良の形態】
【００２１】
（第１の実施の形態）
以下、本発明の第１の実施の形態を図面を参照して詳細に説明する。図１は本発明の手のひらサイズの大きさのあぶらとり紙セット１の斜視図を示しており、このあぶらとり紙セット１は図２に示すように二つ折り自在となっている。図３はあぶらとり紙セット１を開いた状態の平面図を示し、図４はあぶらとり紙セット１の横方向の断面図を示している。
【００２２】
このあぶらとり紙セット１は、偏平なフィルム状の部材で形成したケース本体１１と、このケース本体１１内に予め多数枚が積層されて収納されているあぶらとり紙２と、このあぶらとり紙２を接着して顔の皮脂を取る場合に使用の手助けを行なうパフ状のアシスト部材３とで構成されている。
【００２３】
前記アシスト部材３は、例えば、一般的な化粧用のパフで構成しており、少しの厚みを有して弾力性を備えていて、形状は例えば円形に形成している。もちろん、アシスト部材３の形状は円形に限らず、長方形を含む四角形状でも良い。また、アシスト部材３は、化粧に使用するパフではなく、スポンジで構成するようにしても良く、また、布地で形成するようにしても良い。
このアシスト部材３の一方の面の略中央部分には、略円形の接着部４が設けられており、この接着部４は、両面に接着剤を塗布したタックと呼ばれるものでも良く、また、接着剤を塗布して形成するようにしても良い。また、接着部４を両面テープで構成しても良い。更には、接着部４は図示例では、比較的小さな円形としているが、アシスト部材３の全面に設けるようにしても良く、また、アシスト部材３の形状もどのような形状でも良い。
【００２４】
ケース本体１１の材料としては、ポリエチレン、ポリプロピレン、塩化ビニールなどのフィルム状で安価な合成樹脂製や、布地で構成するようにしても良い。ケース本体１１の一方側には先端部分を少しの幅だけ折り返した折り返し片１２によりアシスト部材３の端部を挿入して該アシスト部材３をケース本体１１内に保持する袋状の保持部１３が形成されている。
このケース本体１１の保持部１３にアシスト部材３の端部を挿入することで、アシスト部材３が保持部１３に支持ないし保持され、また、アシスト部材３を使用する場合には、アシスト部材３を保持部１３から容易に取り出すことができるようになっている。
【００２５】
また、ケース本体１１の他方側には、該ケース本体１１の約半分の大きさの袋状の収納部１４が形成されており、この収納部１４の端部（ケース本体１１の中央側）にあぶらとり紙２を該収納部１４に納装するための挿入口１５が形成されている。
この挿入口１５から多数枚の積層したあぶらとり紙２を収納部１４内に収納するものであり、また、収納部１４の上面には、あぶらとり紙２より少し小さめで略円形の開口部１６が開口されていて、この開口部１６から収納部１４内の最上部のあぶらとり紙２を取り出すようになっている。
【００２６】
なお、前記挿入口１５は、ケース本体１１の中央部分で形成しているが、端部側に設けるようにしても良い。例えば、封筒の入れる側に接着剤付きの折り返し片がある場合のように、その折り返し片をあけると内部に入れるための開口があり、その開口からあぶらとり紙２を収納部１４に入れるようにしても良い。収納部１４内にあぶらとり紙２を入れるための構造であれば、どのような構造でも良い。
【００２７】
このように、前記開口部１６の大きさをあぶらとり紙２の大きさより少し小さく設定しているので、あぶらとり紙２は開口部１６の周縁で保持されてケース本体１１からは容易に脱落せず、また、あぶらとり紙２をケース本体１１から取り出す場合にも開口部１６を介して容易に取り出すことができる。また、ケース本体１１の構造を単に開口部１６を形成しているだけなので、ケース本体１１の製造コストを安価にすることができる。
【００２８】
なお、図４以降において、アシスト部材３に設けている接着部４は厚みを持たせて描いているが、実際には接着部４の厚さは非常に薄いものであり、理解し易いように接着部４に厚みを持たせて描いている。
また、図５（ｃ）に示すように、あぶらとり紙２の下面は、顔の皮脂を吸収する吸収面２ａとし、あぶらとり紙２の他方の面である上面はあぶら分を透過させない樹脂面２ｂとしている。この樹脂面２ｂは、あぶらとり紙２を製造する際に、樹脂をコーティングして形成しているものであり、この樹脂面２ｂにてアシスト部材３の接着部４への接着と剥がしを容易にしている。なお、あぶらとり紙２の種類によっては、樹脂面２ｂを有していないあぶらとり紙２を用いるようにしても良い。
【００２９】
次に、使用方法について説明する。先ず、図２に示すように、あぶらとり紙セット１のケース本体１１を開いてアシスト部材３を取り出し、図５（ａ）に示すようにアシスト部材３の接着部４を下面にして収納部１４の最上部のあぶらとり紙２の樹脂面２ｂに接着する。この場合、あぶらとり紙２の樹脂面２ｂにアシスト部材３の接着部４が接着しているので、図５（ｂ）に示すように、アシスト部材３をそのまま引き上げると、最上部のあぶらとり紙２が収納部１４の開口部１６から取り出される。あぶらとり紙２はしなやかなので、図５（ｃ）に示すように、あぶらとり紙２を開口部１６を介してスムーズに取り出すことができる。
【００３０】
次に、１枚のあぶらとり紙２が接着部４にて接着した状態で取り出されるので、アシスト部材３を持ってあぶらとり紙２の吸収面２ａを顔の皮膚に化粧のパフの使用感覚と同様な感覚で押さえることで、顔の皮脂をあぶらとり紙２にて吸収することができる。
このとき、あぶらとり紙２に皮脂を吸収しても、樹脂面２ｂによりあぶら分は樹脂面２ｂにより該樹脂面２ｂ側には透過しない。そのため、アシスト部材３があぶら分にて汚れることはなく、また、使用後のあぶらとり紙２をアシスト部材３の接着部４から剥がす場合でも、あぶらとり紙２の樹脂面２ｂと接着部４とが接着しているので、アシスト部材３の接着部４からあぶらとり紙２を簡単に剥がすことができる。
【００３１】
また、あぶらとり紙セット１を二つに折り畳んでいる状態において、アシスト部材３の接着部４が開口部１６を介してあぶらとり紙２の樹脂面２ｂに接着しているので、ケース本体１１を開けると、アシスト部材３の接着部４に最上部のあぶらとり紙２が接着した状態で開口部１６を介してそのまま取り出すこともできる。
【００３２】
また、アシスト部材３の一面には前記あぶらとり紙２を接着、離脱自在とした接着部４を設けているので、アシスト部材３の接着部４にてあぶらとり紙２を接着させることができ、そのため、ケース本体１１からあぶらとり紙２を簡単に取り出すことができて、使い勝手が頗る良い。
さらに、あぶらとり紙２の下面を顔の皮脂を吸収する吸収面２ａとし、該あぶらとり紙２の上面には皮脂を透過させない樹脂面２ｂとしているので、あぶらとり紙２にて顔の皮脂を吸収しても指先やアシスト部材３が汚れることはなく、衛生的であり、また、アシスト部材３を長期にわたって使用することができる。
【００３３】
ここで、この実施形態では、アシスト部材３に接着部４を設けている場合について説明したが、アシスト部材３に接着部４を特に設けなくても良い。接着部４を設けていないアシスト部材３の場合では、あぶらとり紙２で顔の皮脂を取る場合にパフ状のアシスト部材３と共に使用すると、指先であぶらとり紙２を押さえながら使用するのとは異なり、あぶらとり紙２全体を押さえて使用できるので、使い勝手が良い。
【００３４】
（第２の実施の形態）
次に、第２の実施形態を図６及び図７により説明する。この実施形態ではあぶらとり紙セット１のケース本体１１を紙製としたものであり、他の構成は先の実施形態と同様である。この実施形態では、ケース本体１１を偏平な略箱状としているが、箱状にせずに先の実施形態と同様に角部で厚みを持たさせずに、ケース本体１１自体を偏平にするようにしても良い。
この場合、ケース本体１１は紙製なので、収納部１４内には多数枚のあぶらとり紙２を収納することで、保持部１３にアシスト部材３を挿入して保持することも簡単にできる。
【００３５】
（第３の実施の形態）
次に、第３の実施形態を図８以降により説明する。図８ではあぶらとり紙２の形状を四角形状としたものであり、あぶらとり紙セット１の構成は先の実施形態と同様である。
また、図９では、あぶらとり紙２を四角形状として、該あぶらとり紙２を取り出すための開口部１６の形状を四角形状としたものである。さらに、図１０では、円形のあぶらとり紙２を使用し、開口部１６を四角形状とした場合である。
【００３６】
図１１は、円形のあぶらとり紙２に対して、開口部１６の周縁部の形状を連続する三角形状として、デザインを施した場合である。
図１２は、図１１に示すのと同じ開口部１６として、あぶらとり紙２の形状を四角形状とした場合である。
【００３７】
（第４の実施の形態）
次に、第４の実施形態を図１３により説明する。この実施形態では、アシスト部材３を使用しない場合であり、ケース本体１１の一方の片の内面に接着部４を設けた場合である。あぶらとり紙２で顔の皮脂を吸収する場合、特にパフ状のアシスト部材３を使用する必要がない場合もあり、ケース本体１１を開けると接着部４に最上部のあぶらとり紙２が接着しているので、あぶらとり紙２を接着部４から剥がして、あぶらとり紙２のみにて皮脂を吸収する場合である。
【００３８】
（第５の実施の形態）
図１４は第５の実施形態を示し、この実施形態では、アシスト部材３はもちろん接着部４も使用しない場合である。ケース本体１１を開くと、あぶらとり紙２は開口部１６から露出しているので、最上部のあぶらとり紙２を手で取り出して使用するものである。
【００３９】
このように上記各実施形態において、ケース本体１１の開口部１６の形状を、円形状、四角形状、周縁を連続した波形の形状のいずれかとしているので、開口部１６を簡単に形成でき、また、デザイン的にも意匠効果を発揮させることができる。
また、各実施形態において前記ケース本体１１の材料を、ポリプロピレン、ポリエチレン、塩化ビニール、布地、紙製のいずれかを用いているので、ケース本体１１の軽量化とコストの削減を図ることができる。
【図面の簡単な説明】
【００４０】
【図１】本発明の第１の実施の形態におけるあぶらとり紙セットの斜視図である。
【図２】本発明の第１の実施の形態におけるあぶらとり紙セットを開いた状態を示す斜視図である。
【図３】本発明の第１の実施の形態におけるあぶらとり紙セットの平面図である。
【図４】本発明の第１の実施の形態におけるあぶらとり紙セットの断面図である。
【図５】（ａ）〜（ｃ）は本発明の第１の実施の形態における使用方法についての動作説明図である。
【図６】本発明の第２の実施の形態におけるあぶらとり紙セットの断面図である。
【図７】本発明の第２の実施の形態におけるあぶらとり紙セットの平面図である。
【図８】本発明の第３の実施の形態におけるあぶらとり紙セットの要部平面図である。
【図９】本発明の第３の実施の形態におけるあぶらとり紙セットの要部平面図である。
【図１０】本発明の第３の実施の形態におけるあぶらとり紙セットの要部平面図である。
【図１１】本発明の第３の実施の形態におけるあぶらとり紙セットの要部平面図である。
【図１２】本発明の第３の実施の形態におけるあぶらとり紙セットの要部平面図である。
【図１３】本発明の第４の実施の形態におけるあぶらとり紙セットの要部平面図である。
【図１４】本発明の第４の実施の形態におけるあぶらとり紙セットの要部平面図である。
【符号の説明】
【００４１】
１  あぶらとり紙セット
２  あぶらとり紙
２ａ  吸収面
２ｂ  樹脂面
３  アシスト部材
４  接着部
１１  ケース本体
１３  保持部
１４  収納部
【図１】
2007244599.tif 000003
【図２】
2007244599.tif 000004
【図３】
2007244599.tif 000005
【図４】
2007244599.tif 000006
【図５】
2007244599.tif 000007
【図６】
2007244599.tif 000008
【図７】
2007244599.tif 000009
【図８】
2007244599.tif 000010
【図９】
2007244599.tif 000011
【図１０】
2007244599.tif 000012
【図１１】
2007244599.tif 000013
【図１２】
2007244599.tif 000014
【図１３】
2007244599.tif 000015
【図１４】
2007244599.tif 000016